(57)【要約】【課題】陥入爪を容易に矯正する。【解決手段】爪取付部２０は金属板を屈曲させて成り、主基板部２１と長さが短い副基板部２２とが連結板２３を介して平行に形成されており、主基板部２１と副基板部２２は弾性的に拡開できるようにされている。主基板部２１の上面には、接続材３０を嵌合する横溝部２４が設けられている。  接続材３０は超弾性体又は形状記憶体の金属体から成っている。接続材３０の端部を主基板部２１の横溝部２４に嵌合した後に、接続材３０を主基板部２１に固定する。  ２つの爪取付部２０を陥入爪の両側に押し込むことにより、主基板部２１副基板部２２とで陥入爪を弾性的に挟持し、接続材３０が直線になる機能を利用して陥入爪を矯正する。【選択図】図１
2016165436.tif 000002
【特許請求の範囲】
【請求項１】
金属板の主面部を有する複数の爪取付部と、これらの爪取付部間を接続し、超弾性体又は形状記憶体から形成され直線状となる復元力を有する接続材とから構成したことを特徴とする陥入爪矯正具。
【請求項２】
前記接続材は１本の棒体から成ることを特徴とする請求項１に記載の陥入爪矯正具。
【請求項３】
前記爪取付部は１枚の弾性金属板を屈曲して主基板部と副基板部とを略平行に配置し、前記主基板部と前記副基板部との間で弾性力を有することを特徴とする請求項１又は請求項２に記載の陥入爪矯正具。
【請求項４】
前記主基板部の表面又は裏面に、前記接続材を嵌合する溝部を設けたことを特徴とする請求項１〜３の何れか１つの請求項記載の陥入爪矯正具。
【請求項５】
前記主基板部の表面又は裏面に、前記接続材を嵌合する横溝と、該横溝と直交する縦溝とを形成したことを特徴とする請求項３に記載の陥入爪矯正具。
【請求項６】
前記主基板部に前記接続材を貫通する孔部を設けたことを特徴とする請求項請求項１〜３の何れか１つの請求項記載の陥入爪矯正具。
【発明の詳細な説明】
【技術分野】
【０００１】
本発明は、足親指爪に発生し、爪の両端が巻き込まれた陥入爪に装着して、陥入爪を矯正するための陥入爪矯正具に関するものである。
【背景技術】
【０００２】
特許文献１には、弾性を有する金属板から形成され、爪幅方向に長い矯正板と、この矯正板の端縁に形成され、陥入爪である変形爪の爪先に噛み合う複数のカギツメとを有する変形爪矯正具が開示されている。
【０００３】
この変形爪矯正具によって変形爪を矯正する際には、矯正板とカギツメとで陥入爪の爪先を噛み合うようにして装着を行う。
【先行技術文献】
【特許文献】
【０００４】
【特許文献１】特開２００７−２４４８５１号公報
【発明の概要】
【発明が解決しようとする課題】
【０００５】
特許文献１では、その段落００１８に記載されているように、変形爪矯正具は様々な患者の変形爪に対し対応可能とするため、変形爪の幅方向長に応じたサイズのものを使用することになる。従って、１５〜２５ｍｍの間で、適当なサイズの複数の変形爪矯正具を予め用意し、選択して使用することになる。
【０００６】
しかし、予め用意する変形爪矯正具のサイズは、大中小等の数種類しかないため、個人個人で幅長が異なる変形爪に、最適な幅長を有する変形爪矯正具を装着できないという問題がある。
【０００７】
本発明の目的は、上述の課題を解消し、サイズの調整が可能であり、巻き爪を含む陥入爪を容易に矯正し得る陥入爪矯正具を提供することにある。
【課題を解決するための手段】
【０００８】
上記目的を達成するための本発明に係る陥入爪矯正具は、金属板の主面部を有する複数の爪取付部と、これらの爪取付部間を接続し、超弾性体又は形状記憶体から形成され直線状となる復元力を有する接続材とから構成したことを特徴とする。
【発明の効果】
【０００９】
本発明に係る陥入爪矯正具は、患者の陥入爪の大きさや陥入爪の容態に対じて、任意のサイズや任意の矯正力のものを選択可能であり、患者にとって最適な状態で陥入爪を矯正することができる。
【図面の簡単な説明】
【００１０】
【図１】実施例１の陥入爪矯正具の斜視図である。
【図２】爪取付部の斜視図である。
【図３】爪取付部に接続材を固定する際の説明図である。
【図４】陥入爪に陥入爪矯正具を取り付けた状態の断面図である。
【図５】陥入爪に陥入爪矯正具を取り付けた状態の正面図である。
【図６】陥入爪に陥入爪矯正具を取り付けた状態の斜視図である。
【図７】実施例２の陥入爪矯正具の斜視図である。
【図８】陥入爪に陥入爪矯正具を取り付けた状態の斜視図である。
【図９】実施例３の陥入爪矯正具の斜視図である。
【図１０】陥入爪に陥入爪矯正具を取り付けた状態の斜視図である。
【図１１】実施例４の陥入爪矯正具の斜視図である。
【図１２】陥入爪に陥入爪矯正具を取り付けた状態の斜視図である。
【発明を実施するための形態】
【００１１】
本発明を図示の実施例に基づいて詳細に説明する。
【実施例１】
【００１２】
図１は実施例１の陥入爪矯正具の斜視図である。陥入爪矯正具１０は複数の爪取付部２０と、これらの爪取付部２０間を接続し、超弾性体又は形状記憶体の棒材から成る接続材３０とから構成されている。
【００１３】
爪取付部２０の大きさは、縦３ｍｍ、横１．５ｍｍ、高さ１．５ｍｍ程度であり、弾発性、耐腐蝕性を有する金属材、例えばチタン合金等により造られている。
【００１４】
接続材３０は原形の直線状態に戻るように機能する超弾性体又は形状記憶体の金属体を断面円形のワイヤ状の棒体に形成したものであり、変形された場合に直線に戻ろうとする力が働く。
【００１５】
接続材３０の径は、例えば０．２〜０．６ｍｍ内で適宜のサイズのものを複数、例えば０．１ｍｍ単位で用意し、患者の爪の大きさや陥入爪の容態に応じて使い分ける。径が太いほど、弾性力、つまり元に戻ろうとする復元力が強くなるので、爪が大きい患者や重度の陥入爪の患者に対しては、強い弾性力を有する太い接続材３０を選択することが好ましい。
【００１６】
接続材３０の長さは、患者の爪幅に応じて１６〜２０ｍｍ内で適宜の長さにワイヤー状の接続材３０を切断して利用する。また、予め１６〜２０ｍｍ内で０．５ｍｍ単位で複数の長さの接続材３０を用意しても構わない。
【００１７】
図２は爪取付部の斜視図であり、爪取付部２０は厚み１ｍｍ程度の弾性金属板をコ字状に屈曲させて成っている。主基板部２１とこの主基板部２１よりも長さが短い副基板部２２とが連結板２３を介して平行に形成されており、主基板部２１と副基板部２２との先端同士は稍々近接した形態とされ、主基板部２１と副基板部２２とは弾性的に拡開できるようにされている。本実施例では副基板部２２は先端に行くにつれて肉厚が薄くなっているが、薄くせずに同じ肉厚の副基板部２２を用いてもよい。
【００１８】
装着時に爪裏と主基板部２１と副基板部２２との間隙Ｔは、一般的な爪の厚さと同程度の０．５ｍｍ程度となっている。なお、主基板部２１と副基板部２２との先端同士は平行状であっても支障はない。
【００１９】
また、対向する主基板部２１と下面２６と副基板部２２の上面２７の何れか一方又は双方に粗面を形成するようにしてもよい。このように粗面を形成することで、陥入爪に取り付けた際に粗面が爪表面に喰い込んで外れ難くなる。
【００２０】
また、主基板部２１の上面には、接続材３０を嵌合する横溝部２４が主基板部２１の長手方向を横切るように設けられている。この横溝部２４は接続材３０が嵌合するような例えば上縁を狭めた断面Ｃ字状に穿設されている。
【００２１】
更に、主基板部２１の表面には、横溝部２４と直交する方向、つまり主基板部２１の長手方向に向けて同様に縦溝部２５が十字状に設けられている。なお、これらの横溝部２４、縦溝部２５は、共に設けることなく、何れか一方のみであってもよい。
【００２２】
また、横溝部２４、縦溝部２５の溝の内径は、接続材３０の外径より若干大きく、接続材３０の外径に応じて溝の内径を変えた複数の爪取付部２０を予め用意することが好ましい。また、横溝部２４、縦溝部２５は主基板部２１の裏面、つまり副基板部２２に対向する面側に設けるようにしてもよい。
【００２３】
実施例の陥入爪矯正具１０は、接続材３０の両端に爪取付部２０が配置されているが、これらの爪取付部２０の間に、更に１個以上の爪取付部２０を配置して、計３個以上の爪取付部２０を設けるようにしてもよい。
【００２４】
なお、爪取付部２０の個数が多い方が、陥入爪に対し、たとえ１つの爪取付部２０が外れても、他の爪取付部２０によって爪先を保持することで陥入爪矯正具１０は外れ難くなる。しかし、着脱の手間を考えた場合には、１個の陥入爪矯正具１０に対し、爪取付部２０の数は２〜４個程度が好ましい。
【００２５】
接続材３０を２つの爪取付部２０に取り付けて、図１に示す陥入爪矯正具１０の形態にする場合は、先ず患者の爪の大きさや陥入爪の容態に基づいて、最適な弾性力の接続材３０を選択し、この接続材３０の径に対応する爪取付部２０を使用した陥入爪矯正具１０を作成することになる。
【００２６】
この作成作業として、先ず接続材３０を一方の爪取付部２０の横溝部２４上に沿って配置して、接続材３０を横溝部２４内に押し込む。この際に、上方を開口した断面Ｃ字状の横溝部２４は、左右に一時的に拡がった後に接続材３０が横溝部２４内に嵌り込むことになる。
【００２７】
このようにして、接続材３０に一方の爪取付部２０が仮止めされる。続いて、患者の爪幅に応じた位置に、他方の爪取付部２０を配置した後に、前述の一方の爪取付部２０の仮止め同様に、他方の爪取付部２０を接続材３０に仮止めを行う。
【００２８】
図３は爪取付部２０に接続材３０を固定する際の説明図であり、横溝部２４に接続材３０を嵌合した爪取付部２０に対しラジオペンチ等の治具Ｐにより上下方向から力を加えることで、横溝部２４内に接続材３０が固定される。なお、治具Ｐを用いずに、接着剤や溶接等で固定することもできる。このように患者の爪幅に最適な幅に調整後に、爪取付部２０からはみ出した接続材３０をニッパ等により切断する。このようにして陥入爪矯正具１０は、患者の爪幅に応じて最適な爪幅サイズのものに調整して製作することが可能である。
【００２９】
図４はこの陥入爪矯正具１０を陥入爪Ｎの両側に取り付けた状態の側面図であり、図５は正面図であり、図６は斜視図である。図４に示すように、２つの爪取付部２０を陥入爪Ｎの両側に前方から押し込むことにより、主基板部２１は陥入爪Ｎの表面に沿って、先端に行くにつれて肉厚が薄くなっている副基板部２２は陥入爪Ｎの裏側に入り込む。奥まで爪取付部２０を陥入爪Ｎに押し込むことで主基板部２１と副基板部２２との間の弾性的により、陥入爪Ｎは強固に挟持されることになる。
【００３０】
また、図５、図６に示すように、陥入爪Ｎの両端は下方に弯曲しているので、爪取付部２０を挿し込むと、接続材３０は陥入爪Ｎの表面に沿って弯曲することになる。しかし、接続材３０は直線状に戻る復元力を有する超弾性体又は形状記憶体で構成されていることから、接続材３０に曲線から直線状に戻る復元力が加わり、両端の爪取付部２０を持ち上げるように作用する。爪取付部２０が挟持した陥入爪Ｎの両側を持ち上げることにより、陥入爪Ｎは平坦状となるように矯正されることになる。
【００３１】
この陥入爪矯正具１０を陥入爪Ｎから取り外すには、爪取付部２０を陥入爪Ｎから装着時の押し込んだ方向と逆方向である水平方向へ引き抜けばよい。
【実施例２】
【００３２】
図７は実施例２の陥入爪矯正具１０を示し、接続材３０を爪取付部２０の縦溝部２５に嵌合した状態の斜視図である。図８は陥入爪Ｎにこの陥入爪矯正具１０を取り付けた状態の斜視図を示し、爪取付部２０は陥入爪Ｎの両側方に取り付けている。重度の陥入爪Ｎの場合は、図７に示す陥入爪矯正具１０を陥入爪Ｎに装着した方が効果的に陥入爪Ｎを矯正することができる。
【実施例３】
【００３３】
図９は実施例３の陥入爪矯正具を示し、接続材３０の一端を爪取付部２０の横溝部２４に嵌合し、接続材３０の他端を爪取付部２０の縦溝部２５に嵌合した状態の斜視図である。なお、接続材３０と爪取付部２０の横溝部２４、縦溝部２５の関係は左右逆に配置しても構わない。
【００３４】
図１０は陥入爪Ｎにこの陥入爪矯正具１０を取り付けた状態の斜視図を示し、爪取付部２０は陥入爪Ｎの両側方に取り付けている。特に陥入爪Ｎの片方側が重度の陥入爪Ｎの場合は、図１０に示す陥入爪矯正具１０を装着することが好ましい。
【実施例４】
【００３５】
図１１は実施例４の陥入爪矯正具１０’の斜視図を示し、爪取付部２０’は横溝部２４を有する主基板部２１のみから構成され、実施例１〜３の陥入爪矯正具１０と同様に、患者の爪幅に応じて最適な爪幅サイズに調整して使用することができる。
【００３６】
陥入爪Ｎに陥入爪矯正具１０’を取り付ける際は、粗面を備えた主基板部２１の下面２６に強力接着剤等を塗布した後に、陥入爪Ｎの表面に陥入爪矯正具１０’を貼り付けて固定する。
【００３７】
実施例１〜３の陥入爪矯正具１０は爪先にしか取り付けられないのに対して、陥入爪矯正具１０’は、図１２の陥入爪Ｎに取り付けた状態の斜視図に示すように、陥入爪Ｎの任意の位置に取り付けることが可能である。矯正が必要とする位置に応じて、陥入爪矯正具１０又は陥入爪矯正具１０’を使い分けることが好ましく、必要によっては陥入爪矯正具１０と陥入爪矯正具１０’とを陥入爪Ｎに取り付けるようにしてもよい。
【００３８】
また、実施例１〜３の陥入爪矯正具１０及び実施例４の陥入爪矯正具１０’の１本の溝部を、平行する２本に増やすようにしてもよい。溝部を増やすことで、例えば女性の場合は１本の接続材３０を取り付け、男性の場合は２本の接続材３０を取り付けるようにして、接続材３０の復元力が患者の陥入爪Ｎに最適になるように調整することができる。
【００３９】
また、実施例１〜３の陥入爪矯正具１０及び実施例４の陥入爪矯正具１０’の主基板部２１には、接続材３０を固定する溝部を設けたが、溝部に換えて孔状の横孔部及び縦孔部を設け、接続材３０を固定するようにしてもよい。
【００４０】
この場合は、接続材３０を横孔部又は縦孔部に貫通させた後に、圧着又は接着等により接続材３０を爪取付部２０に固定することになる。
【００４１】
また、実施例１〜３の陥入爪矯正具１０及び実施例４の陥入爪矯正具１０’において、接続材３０及び横溝部２４、縦溝部２５、横孔部、縦孔部の断面形状を矩形状等にしてもよい。爪取付部２０の断面矩形状の溝部又は孔部に、断面矩形状の接続材３０を貫通させた際に、各爪取付部２０は同じ方向を自然と向くことになり、角度調整が不要となり便利である。
【符号の説明】
【００４２】
１０、１０’  陥入爪矯正具
２０、２０’  爪取付部
２１  主基板部
２２  副基板部
２３  連結部
２４  横溝部
２５  縦溝部
３０  接続材
【図１】
2016165436.tif 000003
【図２】
2016165436.tif 000004
【図３】
2016165436.tif 000005
【図４】
2016165436.tif 000006
【図５】
2016165436.tif 000007
【図６】
2016165436.tif 000008
【図７】
2016165436.tif 000009
【図８】
2016165436.tif 000010
【図９】
2016165436.tif 000011
【図１０】
2016165436.tif 000012
【図１１】
2016165436.tif 000013
【図１２】
2016165436.tif 000014